【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
サーバと、印刷データの印刷処理を行う画像形成装置とを有するプリントシステムであって、
前記サーバは、
外部装置から登録されたデータを記憶する記憶手段と、
色材の使用量を節約して印刷する節約印刷の設定が行われた場合、前記画像形成装置での印刷に際して色材の使用量を節約するように前記データを加工して、印刷データを生成する生成手段と、
前記画像形成装置からの要求に応じて、前記生成手段で生成された印刷データを前記画像形成装置に送信する第１送信手段と、
前記画像形成装置からの前記節約印刷の設定の解除の要求に応じて、前記生成手段による加工がおこなわれる前の前記記憶手段により記憶されているデータを、前記画像形成装置にふたたび送信する第２送信手段と、を有し、
前記画像形成装置は、
操作部からの指示に応じて、前記サーバに対して印刷データ及び印刷設定情報を含む情報を要求する第１要求手段と、
前記画像形成装置における印刷処理に用いる色材の残量を検出する検出手段と、
前記第１要求手段の要求により取得した情報が、色材の使用量を節約して印刷する節約印刷のための印刷データ及び印刷設定情報の少なくともいずれかを含む場合、前記検出手段により検出された前記色材の残量に応じて前記印刷データ及び印刷設定情報に基づく印刷結果に影響があるか否かを判断する判断手段と、
前記判断手段により印刷結果に影響がないと判断した場合、前記第１要求手段の要求により取得した情報に含まれる印刷データ及び印刷設定情報に基づく印刷処理を行う印刷処理手段と、
前記判断手段により印刷結果に影響があると判断した場合、ユーザに対して警告を行う警告手段と、
前記警告手段による警告の後、ユーザから前記節約印刷の設定の解除が指示された場合、前記節約印刷を行わない印刷データ及び印刷設定情報を前記サーバに要求する第２要求手段と、を有し、
前記印刷処理手段は、前記第２要求手段の要求により前記節約印刷を行わない印刷データ及び印刷設定情報が取得された場合、当該取得した印刷データ及び印刷設定情報に基づく印刷処理を行うことを特徴とするプリントシステム。
【請求項２】
印刷データの印刷処理を行う画像形成装置であって、
操作部からの指示に応じて、サーバに対して印刷データ及び印刷設定情報を含む情報を要求する第１要求手段と、
前記画像形成装置における印刷処理に用いる色材の残量を検出する検出手段と、
前記第１要求手段の要求により取得した情報が、色材の使用量を節約して印刷する節約印刷のための印刷データ及び印刷設定情報の少なくともいずれかを含む場合、前記検出手段により検出された前記色材の残量に応じて前記印刷データ及び印刷設定情報に基づく印刷結果に影響があるか否かを判断する判断手段と、
前記判断手段により印刷結果に影響がないと判断した場合、前記第１要求手段の要求により取得した情報に含まれる印刷データ及び印刷設定情報に基づく印刷処理を行う印刷処理手段と、
前記判断手段により印刷結果に影響があると判断した場合、ユーザに対して警告を行う警告手段と、
前記警告手段による警告の後、ユーザから前記節約印刷の設定の解除が指示された場合、前記節約印刷を行わない印刷データ及び印刷設定情報を前記サーバに要求する第２要求手段と、を有し、
前記印刷処理手段は、前記第２要求手段の要求により前記節約印刷を行わない印刷データ及び印刷設定情報が取得された場合、当該取得した印刷データ及び印刷設定情報に基づく印刷処理を行うことを特徴とする画像形成装置。
【請求項３】
前記警告手段は、前記節約印刷を行う場合に印刷結果に影響を及ぼす可能性がある旨の警告を行い、前記節約印刷の設定を解除するか前記節約印刷を実行するかの選択指示をユーザに促すことを特徴とする請求項２に記載の画像形成装置。
【請求項４】
前記節約印刷のための印刷データとは、前記サーバで前記色材の使用量を節約するようにデータを加工したものであることを特徴とする請求項２又は３に記載の画像形成装置。 
【請求項５】
前記節約印刷のための印刷設定情報とは、前記節約印刷の設定を含むものであり、
前記印刷処理手段は、前記印刷設定情報に前記節約印刷の設定が含まれている場合、色材の使用量を節約した印刷を行うことを特徴とする請求項２又は３に記載の画像形成装置。
【請求項６】
前記節約印刷の設定は、前記印刷処理に用いるデータが前記サーバに登録された際に設定可能なことを特徴とする請求項２乃至５のいずれか１項に記載の画像形成装置。
【請求項７】
画像形成装置と通信可能なサーバであって、
外部装置から登録されたデータを記憶する記憶手段と、
色材の使用量を節約して印刷する節約印刷の設定が行われた場合、前記画像形成装置での印刷に際して色材の使用量を節約するように前記データを加工して、印刷データを生成する生成手段と、
前記画像形成装置からの要求に応じて、前記生成手段で生成された印刷データを前記画像形成装置に送信する第１送信手段と、
前記画像形成装置からの前記節約印刷の設定の解除の要求に応じて、前記生成手段による加工がおこなわれる前の前記記憶手段により記憶されているデータを、前記画像形成装置にふたたび送信する第２送信手段と、を有することを特徴とするサーバ。
【請求項８】
サーバと、印刷データの印刷処理を行う画像形成装置とを有するプリントシステムにおけるプリント方法であって、
前記サーバが、
外部装置から登録されたデータを記憶手段に記憶するステップと、
色材の使用量を節約して印刷する節約印刷の設定が行われた場合、前記画像形成装置での印刷に際して色材の使用量を節約するように前記データを加工して、印刷データを生成する生成ステップと、
前記画像形成装置からの要求に応じて、前記生成ステップで生成された印刷データを前記画像形成装置に送信する第１送信ステップと、
前記画像形成装置からの前記節約印刷の設定の解除の要求に応じて、前記生成ステップでの加工がおこなわれる前の前記記憶手段により記憶されているデータを、前記画像形成装置にふたたび送信する第２送信ステップと、を有し、
前記画像形成装置が、
操作部からの指示に応じて、前記サーバに対して印刷データ及び印刷設定情報を含む情報を要求する第１要求ステップと、
前記画像形成装置における印刷処理に用いる色材の残量を検出する検出ステップと、
前記第１要求ステップでの要求により取得された情報が、色材の使用量を節約して印刷する節約印刷のための印刷データ及び印刷設定情報の少なくともいずれかを含む場合、前記検出ステップで検出された前記色材の残量に応じて前記印刷データ及び印刷設定情報に基づく印刷結果に影響があるか否かを判断する判断ステップと、
前記判断ステップで印刷結果に影響がないと判断された場合、前記第１要求ステップでの要求により取得された情報に含まれる印刷データ及び印刷設定情報に基づく印刷処理を行うステップと、
前記判断ステップで印刷結果に影響があると判断された場合、ユーザに対して警告を行う警告ステップと、
前記警告ステップでの警告の後、ユーザから前記節約印刷の設定の解除が指示された場合、前記節約印刷を行わない印刷データ及び印刷設定情報を前記サーバに要求する第２要求ステップと、
前記第２要求ステップでの要求により前記節約印刷を行わない印刷データ及び印刷設定情報が取得された場合、当該取得した印刷データ及び印刷設定情報に基づく印刷処理を行うステップと、を有することを特徴とするプリント方法。
【請求項９】
印刷データの印刷処理を行う画像形成装置におけるプリント方法であって、
操作部からの指示に応じて、サーバに対して印刷データ及び印刷設定情報を含む情報を要求する第１要求ステップと、
前記画像形成装置における印刷処理に用いる色材の残量を検出する検出ステップと、
前記第１要求ステップでの要求により取得した情報が、色材の使用量を節約して印刷する節約印刷のための印刷データ及び印刷設定情報の少なくともいずれかを含む場合、前記検出ステップで検出された前記色材の残量に応じて前記印刷データ及び印刷設定情報に基づく印刷結果に影響があるか否かを判断する判断ステップと、
前記判断ステップで印刷結果に影響がないと判断された場合、前記第１要求ステップでの要求により取得された情報に含まれる印刷データ及び印刷設定情報に基づく印刷処理を行うステップと、
前記判断ステップで印刷結果に影響があると判断された場合、ユーザに対して警告を行う警告ステップと、
前記警告ステップでの警告の後、ユーザから前記節約印刷の設定の解除が指示された場合、前記節約印刷を行わない印刷データ及び印刷設定情報を前記サーバに要求する第２要求ステップと、
前記第２要求ステップでの要求により前記節約印刷を行わない印刷データ及び印刷設定情報が取得された場合、当該取得した印刷データ及び印刷設定情報に基づく印刷処理を行うステップと、を有することを特徴とするプリント方法。
【請求項１０】
コンピュータを、請求項２乃至６のいずれか１項に記載された手段として機能させるためのプログラム。
【手続補正２】
【補正対象書類名】明細書
【補正対象項目名】０００９
【補正方法】変更
【補正の内容】
【０００９】
本発明は、サーバと、印刷データの印刷処理を行う画像形成装置とを有するプリントシステムであって、前記サーバは、外部装置から登録されたデータを記憶する記憶手段と、色材の使用量を節約して印刷する節約印刷の設定が行われた場合、前記画像形成装置での印刷に際して色材の使用量を節約するように前記データを加工して、印刷データを生成する生成手段と、前記画像形成装置からの要求に応じて、前記生成手段で生成された印刷データを前記画像形成装置に送信する第１送信手段と、前記画像形成装置からの前記節約印刷の設定の解除の要求に応じて、前記生成手段による加工がおこなわれる前の前記記憶手段により記憶されているデータを、前記画像形成装置にふたたび送信する第２送信手段と、を有し、前記画像形成装置は、操作部からの指示に応じて、前記サーバに対して印刷データ及び印刷設定情報を含む情報を要求する第１要求手段と、前記画像形成装置における印刷処理に用いる色材の残量を検出する検出手段と、前記第１要求手段の要求により取得した情報が、色材の使用量を節約して印刷する節約印刷のための印刷データ及び印刷設定情報の少なくともいずれかを含む場合、前記検出手段により検出された前記色材の残量に応じて前記印刷データ及び印刷設定情報に基づく印刷結果に影響があるか否かを判断する判断手段と、前記判断手段により印刷結果に影響がないと判断した場合、前記第１要求手段の要求により取得した情報に含まれる印刷データ及び印刷設定情報に基づく印刷処理を行う印刷処理手段と、前記判断手段により印刷結果に影響があると判断した場合、ユーザに対して警告を行う警告手段と、前記警告手段による警告の後、ユーザから前記節約印刷の設定の解除が指示された場合、前記節約印刷を行わない印刷データ及び印刷設定情報を前記サーバに要求する第２要求手段と、を有し、前記印刷処理手段は、前記第２要求手段の要求により前記節約印刷を行わない印刷データ及び印刷設定情報が取得された場合、当該取得した印刷データ及び印刷設定情報に基づく印刷処理を行うことを特徴とする。